(57)【特許請求の範囲】
【請求項１】
ログイン中のユーザに加えて別のユーザのログインを許容するマルチログインが可能な装置であって、
ログインのための所定のユーザ動作を行なうべき位置を光の点灯により示す誘導表示手段と、
前記装置の所定範囲内に存在する人を検知する人感センサと、
前記誘導表示手段による光の点灯および消灯を制御する制御手段と、
を備え、
ログイン中のユーザが存在し、かつ、前記マルチログインが有効に設定されている場合、前記制御手段は、前記人感センサで人が検知されていると前記誘導表示手段を点灯するよう制御し、前記人感センサで人が検知されていないと前記誘導表示手段を消灯するように制御する
ことを特徴とする装置。
【請求項２】
ログイン中のユーザが存在し、かつ、前記マルチログインが無効に設定されている場合、前記制御手段は、前記人感センサで人が検知されているかどうかに関わらず前記誘導表示手段を消灯するように制御することを特徴とする請求項１に記載の装置。
【請求項３】
前記制御手段は、ログイン中のユーザが存在しなくなると、前記マルチログインが有効に設定されているか無効に設定されているかに関わらず、前記人感センサで人が検知されていると前記誘導表示手段を点灯するよう制御し、前記人感センサで人が検知されていないと前記誘導表示手段を消灯するように制御することを特徴とする請求項１又は２に記載の装置。
【請求項４】
前記制御手段は、前記マルチログインが有効に設定されている場合、ユーザがログインしてから一定時間が経過するまでの間、前記人感センサにおける人の検知状態に関わらず前記誘導表示手段を消灯するように制御することを特徴とする請求項１乃至３のいずれか１項に記載の装置。
【請求項５】
前記制御手段は、前記マルチログインが有効に設定されている場合、ログイン中のユーザがジョブを投入するまでの間、前記人感センサにおける人の検知状態に関わらず前記誘導表示手段を消灯するように制御することを特徴とする請求項１乃至３のいずれか１項に記載の装置。
【請求項６】
前記制御手段は、前記マルチログインが有効に設定されている場合、ログイン中のユーザが前記人感センサで検知されなくなるまでの間、前記人感センサにおける人の検知状態に関わらず前記誘導表示手段を消灯するように制御することを特徴とする請求項１乃至３のいずれか１項に記載の装置。
【請求項７】
前記所定のユーザ動作は、前記装置と無線通信が可能な外部機器を、前記位置にかざす動作であることを特徴とする、請求項１乃至６のいずれか１項に記載の装置。
【請求項８】
前記外部機器は、ＮＦＣ対応デバイスであり、前記無線通信はＮＦＣであることを特徴とする請求項７に記載の装置。
【請求項９】
前記外部機器は、前記装置を利用するユーザの認証を行なうための認証用カードであることを特徴とする請求項７に記載の装置。
【請求項１０】
前記所定のユーザ動作は、個人の生体情報を用いる生体認証のため、人体の一部をかざす動作であることを特徴とする請求項１乃至６のいずれか１項に記載の装置。
【請求項１１】
ログイン中のユーザに加えて別のユーザのログインを許容するマルチログインが可能な、所定範囲内に存在する人を検知する人感センサを備えた装置の制御方法であって、
ログインのための所定のユーザ動作を行なうべき位置を光の点灯により示す誘導表示ステップと、
前記光の点灯および消灯を制御する制御ステップと、
を含み、
ログイン中のユーザが存在し、かつ、前記マルチログインが有効に設定されている場合、前記制御ステップでは、前記人感センサで人が検知されていると前記光を点灯し、前記人感センサで人が検知されていないと前記光を消灯するように制御する
ことを特徴とする制御方法。
【請求項１２】
コンピュータを、請求項１乃至１０のいずれか１項に記載の装置として機能させるためのプログラム。
【発明の詳細な説明】
【技術分野】
【０００１】
本発明は、多重ログインが可能な装置における誘導表示技術に関する。
【背景技術】
【０００２】
近年の画像形成装置は、各ユーザに限定したカスタマイズ画面を表示したり、各ユーザの文書をセキュアにプリントするために、ＩＤ認証（ユーザ認証）機能を備えている。
【０００３】
例えば特許文献１には、ＮＦＣリーダ・ライタを備え、スマートフォン等のＮＦＣ対応デバイス内に保持した情報を読み取ってユーザ特有のカスタマイズ画面を表示する技術が開示されている。
【先行技術文献】
【特許文献】
【０００４】
【特許文献１】特開２０１０−２６３４８４号公報
【発明の概要】
【発明が解決しようとする課題】
【０００５】
上記特許文献１の技術を採用した画像形成装置において、節電のために節電モードでＮＦＣリーダ・ライタへの通電を遮断してしまうと、ＮＦＣ対応デバイスをタッチ操作しても通信ができなくなる。そうなると、こうした節電モード時において、ユーザは、画像形成装置がＮＦＣ通信可能な状態なのか、或いは通信を可能にするために例えば節電ボタンなどを先に押下する必要があるのか等、どのような操作を行えば良いのか判断できずに混乱することになる。
【０００６】
また、画像形成装置のどこにＮＦＣリーダ・ライタが配置されているのか分かりづらかったり、或いはＮＦＣリーダ・ライタが装着されているという事実を直ぐに判断できなかったりして、ＮＦＣ対応デバイスのタッチ操作をユーザが迷う場合もある。
【０００７】
上述した問題は、ＮＦＣ対応デバイスを用いたユーザ認証の他、例えばカード認証や生体認証の技術によってユーザ認証を行う場合にも同様に当て嵌まるものである。
【０００８】
本発明に係る装置は、ログイン中のユーザに加えて別のユーザのログインを許容するマルチログインが可能な装置であって、ログインのための所定のユーザ動作を行なうべき位置を光の点灯により示す誘導表示手段と、前記装置の所定範囲内に存在する人を検知する人感センサと、前記誘導表示手段による光の点灯および消灯を制御する制御手段と、を備え、ログイン中のユーザが存在し、かつ、前記マルチログインが有効に設定されている場合、前記制御手段は、前記人感センサで人が検知されていると前記誘導表示手段を点灯するよう制御し、前記人感センサで人が検知されていないと前記誘導表示手段を消灯するように制御することを特徴とする。
【課題を解決するための手段】
【０００９】
本発明に係る装置は、複数のユーザによる重畳したログインを許容する多重ログインが可能な装置であって、ログインのための所定のユーザ動作を行なうべき位置を光の点灯により示す誘導表示手段と、前記装置の所定範囲内に存在する人を検知する人感センサと、前記多重ログインの設定が有効であるか無効であるかに応じて、前記誘導表示手段による光の点灯を制御する制御手段と、を備え、ログイン中のユーザが存在している場合において、前記制御手段は、前記多重ログインが無効に設定されている場合は、前記人感センサで人が検知されているかどうかに関わらず前記誘導表示手段が消灯するよう制御し、前記多重ログインが有効に設定されている場合は、前記人感センサで人が検知されていると前記誘導表示手段を点灯するよう制御し、前記人感センサで人が検知されていないと前記誘導表示手段を消灯するように制御することを特徴とする。
【発明の効果】
【００１０】
本発明によれば、多重ログインが可能な装置において、ユーザがログインのための所定のユーザ動作を行なうべき位置等を分かりやすく知らせることができる。
【図面の簡単な説明】
【００１１】
【図１】画像形成装置とそれを利用するユーザを示した外観図である。
【図２】実施例１に係る、画像形成装置の概略機能ブロック図である。
【図３】実施例１に係る、画像形成装置の詳細機能ブロック図である。
【図４】実施例１に係る、画像形成装置の動作モードの遷移図である。
【図５】実施例１に係る、画像形成装置における上記動作モードの制御処理の流れを示すフローチャートである。
【図６】実施例１の節電モード下における、画像形成装置を構成する各部への電力供給状態を示す図である。
【図７】実施例１のＮＦＣ部動作可能モード下における、画像形成装置を構成する各部への電力供給状態を示す図である。
【図８】実施例１のログイン待機モード下における、画像形成装置を構成する各部への電力供給状態を示す図である。
【図９】ユーザが多重ログイン設定を行なうための設定画面の一例を示す図である。
【図１０】実施例１の通常電力モード下における、画像形成装置を構成する各部への電力供給状態を示す図である。
【図１１】実施例１に係る、操作部の一例を示す図である。
【図１２】実施例１に係る、多重ログインが無効に設定されている際の画像形成装置の各動作モードにおける誘導表示の一例を示す図である。
【図１３】実施例１に係る、多重ログインが有効に設定されている際の画像形成装置の各動作モードにおける誘導表示の一例を示す図である。
【図１４】実施例１に係る、ＮＦＣ ＬＥＤと節電ＬＥＤについての条件毎の点灯／非点灯をまとめた表である。
【図１５】実施例２に係る、画像形成装置の簡略機能ブロック図である。
【図１６】実施例２に係る、画像形成装置の詳細機能ブロック図である。
【図１７】実施例２に係る、画像形成装置の動作モードの遷移図である。
【図１８】実施例２の節電モード下における、画像形成装置を構成する各部への電力供給状態を示す図である。
【図１９】実施例２のＮＦＣ部動作可能モード下における、画像形成装置を構成する各部への電力供給状態を示す図である。
【図２０】実施例２のログイン待機モード下における、画像形成装置を構成する各部への電力供給状態を示す図である。
【図２１】実施例２の通常電力モード下における、画像形成装置を構成する各部への電力供給状態を示す図である。
【図２２】実施例２のＮＦＣ部連携有効モード下における、画像形成装置を構成する各部への電力供給状態を示す図である。
【図２３】実施例２に係る、多重ログインが無効に設定されている際の画像形成装置の上述した各動作モードにおける誘導表示の一例を示す図である。
【図２４】実施例２に係る、多重ログインが有効に設定されている際の画像形成装置の上述した各動作モードにおける誘導表示の一例を示す図である。
【図２５】実施例２に係る、カードリーダＬＥＤ、ＮＦＣ ＬＥＤ及び節電ＬＥＤについての条件毎の点灯／非点灯をまとめた表である。
【発明を実施するための形態】
【００１２】
以下、添付の図面を参照して、本発明を好適な実施例に基づいて詳細に説明する。なお、以下の実施例において示す構成は一例にすぎず、本発明は図示された構成に限定されるものではない。
【００１３】
［実施例１］
図１は、多重ログインが可能な画像形成装置とそれを利用するユーザを示した外観図であり、（ａ）は側面から見た図、（ｂ）は上面から見た図である。
【００１４】
画像形成装置１００は、プリント機能、スキャナ機能、コピー機能、ＦＡＸ機能などの複数の機能を備えるＭＦＰ（Multi Function Peripheral）である。ここで、多重ログイン（マルチログイン）について確認しておく。多重ログインの環境では、画像形成装置１００にログインしている先行ユーザのログイン状態を維持したまま、当該画像形成装置１００に別のユーザが重畳してログインすることが許容される。従って、多重ログイン環境では、複数のユーザが画像形成装置１００を同時に利用して、お互いの知識（例えば、画像形成装置に保存された文書データ）を共有しながら印刷等のジョブを実行することができる。また、画像形成装置１００は、装置に接近する人を検知するための人感センサ部６００を備えている。人感センサ部６００が接近する人を検知すると、画像形成装置１００は、消費電力を抑えた節電モードから上記複数の機能の何れかが使用可能な電力状態へ復帰する。
【００１５】
人感センサ部６００は、例えば赤外アレイセンサであり、人の体温により放射されている赤外線をライン状あるいはマトリクス状に配置された受光部で受け、赤外線受光強度の分布によって人の位置や画像形成装置１００との距離を検知することができる。そして、本実施例の人感センサ部６００は、画像形成装置１００の所定範囲内に存在する人を、２段階の距離で検知することができる。すなわち、外側検知エリアＡ１と内側検知エリアＡ２の２段階の検知範囲を有している。２段階の検知エリアを有することによって、ユーザを画像形成装置１００から遠くで検知している状態と近くで検知している状態を区別する。この人感センサ部６００は、机の上に置かれたコンピュータなどの障害物の影響を受けずに人を検知することが出来るよう、検知領域が上方になるように配置される。なお、検知エリアは必ずしも２段階である必要はない。２段階の場合であれば、画像形成装置１００に近い内側検知エリアＡ２での人の検知によって節電モードの解除を行う前に、画像形成装置１００から遠い外側検知エリアＡ１での人の検知によって、ＮＦＣ部７００等を動作可能な状態にしたり、ＮＦＣ ＬＥＤ７１１を点灯（点滅）させることも可能である。１段階の場合は、人の検知による、節電モードの解除のタイミングとＮＦＣ部７００等を動作可能な状態にしたりＮＦＣ ＬＥＤ７１１を点灯（点滅）させたりするタイミングが同時になる。また、センサは上方だけでなく正面や下方へ向けて配置してもよい。
【００１６】
さらに、画像形成装置１００は、外部機器との間で近距離無線通信（ＮＦＣ: Near Field Communication）の方式を用いて通信するためのアンテナを備えたＮＦＣ部７００を備えている。例えば、ＮＦＣ部７００は、当該ＮＦＣ部７００にかざされたＮＦＣ対応デバイス（ＮＦＣ対応の認証用カードなど）の情報を読み取るリーダ機能を備えている。また、ＮＦＣ部７００にかざされたスマートフォンなどを含むＮＦＣ対応のモバイル機器へ画像形成装置１００のＩＰアドレス情報やデータ等を書き込むライタ機能も有している。本実施例では、ＮＦＣ部７００は、画像形成装置１００の操作部５００に組み込まれているが、ユーザがタッチ操作しやすい位置であればよく、画像形成装置１００のどこに配置されてもよい。
【００１７】
図２は、本実施例に係る、画像形成装置１００の簡略機能ブロック図である。画像形成装置１００は、メインコントローラ部２００、スキャナ部３００、プリンタ部４００、操作部５００、人感センサ部６００、ＮＦＣ部７００及び電源部８００で構成される。そして、図３は、図２で示した各構成要素（機能部）の詳細を示すブロック図である。以下、各構成要素について、図２及び図３を参照して説明する。
【００１８】
メインコントローラ部２００は、スキャナ部３００などから入力された画像データを処理してプリンタ部４００で用いる印刷画像データを生成したり、操作部５００へ入力されたユーザ指示に応じてスキャナ部３００やプリンタ部４００などの各部を統括的に制御する。また、メインコントローラ部２００は、電源部８００を制御して画像形成装置１００の電力モードを制御する。
【００１９】
メインコントローラ部２００は、節電モード中にも動作が必要な電源系統１と、節電モード中は動作が不要な電源系統２との、少なくとも２系統の電源系統に分離される。電源系統１に対しては、電源Ｉ／Ｆ２０１から電源供給を受けた内部電源生成部２０２によって常に電力が供給される。電源系統１は、装置が節電モード中であっても、ＦＡＸ受信やネットワークからのプリント要求がされた場合に反応できるように、電源制御部２１１、ＬＡＮコントローラ２１２、及びＦＡＸコントローラ ２１３が接続される。電源系統２には、起動時に必要なＲＯＭ２２６、コピー動作時に必要な画像処理部２２２、スキャナＩ／Ｆ２２３、プリンタＩ／Ｆ２２４、ＨＤＤ２２５が接続され、節電モード時には電力が供給されない。電源制御部２１１は、節電モード中に接続先の各部から割り込み信号Ａ〜Ｄのいずれかが入力されると、内部電源生成部２０２を制御して電源系統２に電力を供給して節電モードを解除する。ここで、割り込み信号について説明する。
【００２０】
割り込み信号Ａは、ＦＡＸコントローラ２１３から出力される信号であり、ＦＡＸ回線からＦＡＸを受信すると出力される。
【００２１】
割り込み信号Ｂは、ＬＡＮコントローラ２１２から出力される信号であり、プリントジョブパケットや状態確認パケットを受信すると出力される。
【００２２】
割り込み信号Ｃ及びＤは、操作部５００内部のマイコン５１４から出力される信号であり詳細は後述する。なお、マイコン５１４は、プロセッサ、メモリ、入出力回路、タイマー回路などを一つの集積回路に格納したマイクロコントローラの略称である。
【００２３】
割り込み信号Ａ〜Ｄによってメインコントローラ２００内部の電源系統２にも通電されると、節電モードへ移行する前の状態（通常電力モード）へ装置を復帰させるために、電源系統１でセルフリフレッシュを行っていたＲＡＭ２１４から状態情報が読み出される。その後、画像形成装置１００が通常電力モードへ復帰した際は、割り込み信号Ａ〜Ｄの復帰要因に応じた処理がＣＰＵ２２１によって行われる。
【００２４】
スキャナ部３００は、不図示の原稿台にセットされた原稿を光学的に読み取って画像データを生成する。スキャナ部３００は、スキャナ制御部３２１とスキャナ駆動部３２２とで構成される。スキャナ駆動部３２２には、原稿を読み取る読取ヘッドを移動させるための駆動部や原稿を読取位置まで搬送するための駆動部などが含まれる。スキャナ制御部３２１は、ユーザによって設定されたスキャン設定情報をメインコントローラ部２００から取得し、取得したスキャン設定情報に基づいてスキャナ駆動部３２２の動作を制御する。
【００２５】
プリンタ部４００は、例えば電子写真方式に従って記録媒体（用紙）に画像を形成する。プリンタ部４００は、プリンタ制御部４２１とプリンタ駆動部４２２とで構成される。プリンタ駆動部４２２には、感光ドラムを回転させるモータ、定着器を加圧するための機構部、ヒータなどが含まれる。プリンタ制御部４２１は、ユーザによって設定された印刷設定情報をメインコントローラ部２００から取得し、取得した印刷設定情報に基づいてプリンタ駆動部４２２の動作を制御する。
【００２６】
操作部５００は、ＬＣＤパネルとタッチパネルが一体になったＬＣＤタッチパネル５２４、テンキーやスタートキーなどのユーザのキー操作を検知するキー部５１５、及びブザー５２６を有する。ＬＣＤタッチパネル５２４には、ＬＣＤコントローラ５２３がメインコントローラ２００から受け取った画像データが描画される。ＬＣＤタッチパネル５２４の画面をユーザが触れて操作すると、タッチパネルコントローラ５１６が触れられた箇所の座標データを解析してマイコン５１４へ通知し、マイコン５１４がＣＰＵ２２１へ通知する。マイコン５１４は、キー部５１５へのキー操作を定期的にスキャンし、ユーザによるキー操作があった場合、ＣＰＵ２２１へ通知する。ＬＣＤタッチパネル５２４やキー部５１５への入力操作があったことの通知を受けると、ＣＰＵ２２１は、操作内容に応じて画像形成装置１００を動作させる。また、操作部５００には、複数のＬＥＤが内蔵されている。主電源ＬＥＤ５１１は、画像形成装置１００の主電源が入っている際に常に点灯するＬＥＤである。通知ＬＥＤ５２７は、マイコン５１４によって制御され、ジョブ実行中やエラー発生などの画像形成装置１００の状態をユーザに通知する。
【００２７】
そして、操作部５００の内部も、節電モード中にも動作が必要な電源系統１と、節電モード中は動作が不要な電源系統２の、少なくとも２系統の電源系統に分離される。電源系統１には、マイコン５１４、主電源ＬＥＤ５１１、節電ボタン５１２、タッチパネルコントローラ５１６及びキー部５１５が含まれ、電源Ｉ／Ｆ２０１から電源供給を受けた内部電源生成部２０２によって常に電力が供給される。電源系統２には、ＬＣＤコントローラ５２３、ＬＣＤタッチパネル５２４、ブザー５２６及び通知ＬＥＤ５２７が含まれ、節電モード中は電力供給が遮断される。
【００２８】
人感センサ部６００は、電源系統１に含まれ常に電力供給を受けるため、節電モード中でも人の動きを検知することができる。センサ６１１からの検知信号をマイコン５１４が定期的に受信して処理することによって人の動きの検知を行う。
【００２９】
ＮＦＣ部７００は、ＮＦＣ ＬＥＤ７１１、ＮＦＣ電源生成部７１２、ＮＦＣコントローラ７１３で構成される。ＮＦＣコントローラ７１３は、リーダ機能とライタ機能を数百ｍｓの間隔で切り替えて、アンテナ部（不図示）にかざされたＮＦＣ対応デバイスとの間で情報（データ）をリード又はライトする。ＮＦＣ電源生成部７１２は、ＮＦＣ部７００が動作するための電力を生成する。画像形成装置１００が節電モードの際は、ＮＦＣ電源生成部７１２における電力生成が停止されるので、ＮＦＣコントローラ７１３も動作しない。
【００３０】
続いて、画像形成装置１００における動作モード（電力モード）の遷移について説明する。
【００３１】
図４は、本実施例に係る、画像形成装置１００の動作モードの遷移図である。画像形成装置１００の動作モードは、コピー動作などを実行可能な通常電力モード（ＳＴ４）と、通常電力モードよりも電力消費の少ない節電モード（ＳＴ１）とに大別される。そして、通常電力モード（ＳＴ４）と節電モード（ＳＴ１）との間には、その中間状態として、ＮＦＣ部動作可能モード（ＳＴ２）とログイン待機モード（ＳＴ３）という２つの動作モードがさらに存在する。これら電力モードの制御は、メインコントローラ部２００が電源部８００を制御することで行われる。節電モード時には、スキャナ部３００やプリンタ部４００などへの電源供給が停止され、メインコントローラ部２００内部と操作部５００内部と人感センサ部６００へのみ電源供給がなされる。
【００３２】
図５は、本実施例に係る、画像形成装置１００における上記動作モードの制御処理の流れを示すフローチャートである。本フローに示す一連の処理は、マイコン５１４内にあるプロセッサがメモリに格納された制御プログラムを実行することで実現される。以下、図５のフローチャートに沿って、画像形成装置１００の動作モードの遷移について詳しく説明する。
【００３３】
節電モード（ＳＴ１）下のステップ５０１において、マイコン５１４は、人感センサ部６００からの検知信号を定期的に受信し、外側検知エリアＡ１あるいは内側検知エリアＡ２内で人が検知されたかどうかを判定する。図６は、本実施例の節電モード下における、画像形成装置１００を構成する各部への電力供給状態を示す図である。図６において、グレーの部分は電力供給が停止されている箇所を示している。この節電モード下で人感センサ部６００によって人が検知された場合は、ステップ５０３に進む。すなわち、ＮＦＣ部動作可能モード（ＳＴ２）への移行処理に進む。一方、人が検知されない場合（外側検知エリアＡ１内に居た人が居なくなった場合を含む）は、ステップ５０２に進む。
【００３４】
ステップ５０２において、マイコン５１４は、ＮＦＣ電源生成部７１２で電源生成がなされている場合は電源生成を停止する。図６に示すとおり、節電モード下ではＮＦＣコントローラ部７１３には電力が供給されないので、ＮＦＣ部７００は動作不能状態である。この事実をユーザに通知するべく、ＮＦＣ ＬＥＤ７１１（並びに節電ＬＥＤ５１３）は消灯状態とされる。ここで、ＮＦＣ ＬＥＤ７１１の点灯は、ＮＦＣ対応デバイスなどの外部機器を装置上のどの部分にかざせばよいのかをユーザに示す誘導表示の意味があり、その消灯は、ＮＦＣ対応デバイス等の外部機器による通信が可能な状態ではないことを示すことになる。また、節電ＬＥＤ５１３の点灯は、節電モードを解除するためのボタン等の指示部の位置をユーザに示す誘導表示の意味があり、その消灯は、節電モードから復帰させるためのユーザ操作が不要であることを示すことになる。
【００３５】
ステップ５０３において、マイコン５１４は、節電ＬＥＤ５１３を点灯（本実施例では点滅）させ、同時に、通電要求信号ＸをＮＦＣ電源生成部７１２へ出力する。この通電要求信号Ｘを受けてＮＦＣ電源生成部７１２は電力を生成し、ＮＦＣコントローラ７１３への電源供給を開始する。これにより、ＮＦＣ部７００は、動作（ＮＦＣ方式による通信）が可能な状態となる。
【００３６】
続くステップ５０４において、マイコン５１４は、ＮＦＣコントローラ７１３が起動してＮＦＣ部７００が動作可能になったことを確認して、ＮＦＣ ＬＥＤ７１１を点灯（本実施例では点滅）させる。これにより、ＮＦＣ部動作可能モード（ＳＴ２）への移行が完了することになる。図７は、本実施例のＮＦＣ部動作可能モード下における、画像形成装置１００を構成する各部への電力供給状態を示す図である。図６と比較すると、節電ＬＥＤ５１３、ＮＦＣ ＬＥＤ７１１及びＮＦＣコントローラ７１３が、電力供給の停止を示すグレーではなくなっているのが分かる。
【００３７】
ステップ５０５において、マイコン５１４は、ＮＦＣによる通信がなされたかどうか（ＮＦＣ部７００にＮＦＣ対応デバイスがかざされたかどうか）を判定する。ここで、ＮＦＣによる通信がなされるということは、例えばＮＦＣ対応の認証用カードを用いた、ログイン（ユーザ認証）のためのユーザ操作がなされたことを意味する。もちろん、認証用のカードに限定されるものではなく、たとえばユーザ認証用のＩＤ情報などが格納されたスマートフォンなどであってもよい。ＮＦＣによる通信がなされていればステップ５１５に進み、通常電力モード（ＳＴ４）に移行する。一方、ＮＦＣ通信がなされていなければ、ステップ５０６に進む。
【００３８】
ステップ５０６において、マイコン５１４は、内側検知エリアＡ２の範囲内で人が検知されているかどうかを判定する。内側検知エリアＡ２の範囲内で人が検知されている場合は、ステップ５０７に進む。一方、内側検知エリアＡ２の範囲内で人が検知されていない場合は、ステップ５０１に戻る。
【００３９】
ステップ５０７において、マイコン５１４は、内側検知エリアＡ２の範囲内で人が検知されている状態のまま、所定時間（例えば０．５ｓｅｃ）が経過したかどうかを判定する。ここで、所定時間は任意であり、予めユーザ等が設定しＲＡＭ等に保持しておけばよい。判定の結果、内側検知エリアＡ２の範囲内で人が検知されている状態のまま所定時間が経過していればステップ５０８に進む。一方、所定時間が経過する前に内側検知エリアＡ２の範囲内で人が検知されなくなれば、ステップ５０５に戻る。なお、本実施例では処理フローの簡単化のため、内側検知エリアＡ２の範囲内で人が検知された後、所定時間の間、検知状態が維持されるかどうかを判定している。このような判定処理は、具体的には以下のようにして実現される。まず、人感センサで人が検知されてステップ５０３に処理が移行する段階で、経過時間測定処理のための変数Ｎを初期化（Ｎ＝０）し、その上で所定時間（例えば１００ｍｓｅｃ）のウエイト処理をステップ５０５の判定処理の前に行うようにする。そして、内側検知エリアＡ２の範囲内で人が検知されていると判定された段階で（ステップ５０６でＹｅｓ）、変数Ｎをインクリメント（＋１）し、続いて変数Ｎの値が閾値（例えば５）以上であるかどうかを判定する。この閾値判定の結果、変数Ｎの値が閾値未満であれば上述のウエイト処理に戻って処理を続行する。そして、変数Ｎの値が閾値以上となった段階で、内側検知エリアＡ２の範囲内で人が検知されている状態のまま所定時間が経過したものと判定するようにすればよい。
【００４０】
ステップ５０８において、マイコン５１４は、割り込み信号Ｃを電源制御部２１１へ出力する。割り込み信号Ｃを受け取った電源制御部２１１は、メインコントローラ部２００の電源系統２、操作部５００の電源系統２、スキャナ制御部３２１、及びプリンタ制御部４２１に対して電力供給を行う。電力供給を受けて起動したＣＰＵ２２１は、ＲＡＭ２１４内に格納されていた状態を復元して、ＮＦＣ部動作可能モード（ＳＴ２）からログイン待機モード（ＳＴ３）へと移行する。なお、節電モード（ＳＴ１）及びＮＦＣ部動作可能モード（ＳＴ２）の各状況下においては、人感センサ部６００による人の検知に拠らず、節電ボタン５１２の押下、ＬＣＤタッチパネル５２４へのタッチ操作、キー部５１５の押下に応じて割り込み信号Ｃを出力し、ログイン待機モード（ＳＴ３）へ移行させることが可能である。
【００４１】
ステップ５０９において、マイコン５１４は、節電ＬＥＤ５１３を消灯する。ログイン待機モード（ＳＴ３）では、節電ＬＥＤ５１３は常に消灯状態となる。図８は、本実施例のログイン待機モード下における、画像形成装置１００を構成する各部への電力供給状態を示す図である。図８においては、電力供給が停止されていた部分のうち、電源系統２、スキャナ部３００内のスキャナ制御部３２１、プリンタ部４００内のプリンタ制御部４２１が、電力供給の停止を示すグレーではなくなっている。なお、ＮＦＣ ＬＥＤ７１１が半分だけグレーで表されているのは、人感センサ部６００で人が検知されたかどうかによって点灯／消灯が切り替わることを意味している。
【００４２】
ステップ５１０において、マイコン５１４は、ＮＦＣによる通信がなされたかどうか（ＮＦＣ部７００にＮＦＣ対応デバイスがかざされたかどうか）を判定する。ＮＦＣによる通信がなされていればステップ５１５に進み、通常電力モード（ＳＴ４）に移行する。一方、ＮＦＣによる通信がなされていなければ、ステップ５１１に進む。なお、ＮＦＣによる通信がなされることの意味は、ステップ５０５で説明したとおりである。
【００４３】
ステップ５１１において、マイコン５１４は、人感センサ部６００の外側検知エリアＡ１或いは内側検知エリアＡ２のいずれかで人が検知されているかどうかを判定する。この判定処理は、上述のステップ５０１と同じである。外側検知エリアＡ１あるいは内側検知エリアＡ２内で人が検知された場合は、ステップ５１３に進む。一方、人が検知されていない場合は、ステップ５１２に進む。
【００４４】
ステップ５１２において、マイコン５１４は、ＮＦＣ ＬＥＤ７１１を消灯する。
【００４５】
ステップ５１３において、マイコン５１４は、ＮＦＣ ＬＥＤ７１１を点灯（本実施例では、点滅）する。
【００４６】
ステップ５１４において、マイコン５１４は、ログイン待機モード下でユーザが何も操作しないまま、所定時間（例えば３０ｓｅｃ）が経過したかどうかを判定する。ここで、所定時間は任意であり、予めユーザ等が設定しＲＡＭ等に保持しておけばよい。判定の結果、ログイン待機状態のまま所定時間が経過していればステップ５０１に戻る。これにより、節電モード（ＳＴ１）に移行することになる。一方、所定時間が経過していなければステップ５１０に戻り、ログイン待機モード下における各処理を続行する。つまり、ログイン待機モードに入ってから所定時間の間は、画像形成装置１００の前に人が居ればＮＦＣ ＬＥＤ７１１が点灯（点滅）し、人が居ない場合は消灯することになる。なお、ＮＦＣコントローラ７１３は、ログイン待機モードでは常に動作可能状態である。このように、ログイン待機モード（ＳＴ３）においては、節電ＬＥＤ５１３の消灯によって節電ボタン５１２の押下操作が不要であること、並びにＮＦＣ ＬＥＤ７１１の点灯によってＮＦＣ部７００が動作可能であることがユーザに通知される。なお、本実施例では、ログイン待機モードではスキャナ部３００内のスキャナ駆動部３２２及びプリンタ部４００内のプリンタ駆動部４２２には電力供給を行なわないので（図８参照）、画像形成装置１００の消費電力をユーザが使用する直前まで抑制することが可能である。もちろん、上記２つの駆動部を通電状態にしても構わない。
【００４７】
ＮＦＣ部動作可能モード（ＳＴ２）若しくはログイン待機モード（ＳＴ３）のどちらかの動作モード下でＮＦＣ部７００にＮＦＣ対応デバイスがかざされる（ＮＦＣによる通信がなされる）と、ステップ５１５において、マイコン５１４は、割り込み信号Ｄを出力する。また、マイコン５１４は、節電ＬＥＤ５１３を消灯する。割り込み信号Ｄを受け取った電源制御部２１１は、電源系統２における電源供給が停止されている場合には電源系統２への電源供給を再開した後に、ＣＰＵ２２１に対し認証要求通知を出力する。ＣＰＵ２２１は、認証要求通知を受け取るとユーザ認証処理を行って、画像形成装置１００を通常電力モード（ＳＴ４）へと移行させる。なお、本フローでは省略しているが、ユーザ認証処理によって正規のユーザでないと判定されたような場合は、その旨のメッセージを操作部５００の画面上に表示するなどした上で、例えばログイン待機モード（ＳＴ３）に進む（維持する）といった処理を行えばよい。
【００４８】
通常電力モード（ＳＴ４）下のステップ５１６において、マイコン５１４は、多重ログインの設定が有効であるのか無効であるのかを判定する。図９は、ユーザが多重ログイン設定を行なうための設定画面の一例を示す図である。図９に示す多重ログイン設定画面９００において、多重ログイン可能な状態にしたい場合は「有効」ボタンを、不能な状態にしたい場合は「無効」ボタンを選択した上で「ＯＫ」ボタンを押下することで、多重ログイン設定が有効又は無効に設定される。このような多重ログイン設定画面９００を介して、多重ログインが有効に設定されていれば、ステップ５１９に進む。続くステップ５１９〜ステップ５２１は、上述のステップ５１１〜ステップ５１３にそれぞれ対応する。すなわち、多重ログインが有効である場合は、人感センサ部６００で人が検知されているかどうかによって、ＮＦＣ ＬＥＤ７１１の点灯／消灯が切り替えられることになる。なお、フローには示していないが、多重ログイン環境下においてユーザがログインした際、ログインしたことをＮＦＣ ＬＥＤ７１１でも認識できるように、一定時間だけＮＦＣ ＬＥＤ７１１を消灯してもよい。また、ログインしたユーザがジョブを投入するまでの期間や、ログインしたユーザが人感センサ部６００で検知されなくなるまでの期間、ＮＦＣ ＬＥＤ７１１を消灯してもよい。図１０は、本実施例の通常電力モード下における、画像形成装置１００を構成する各部への電力供給状態を示す図である。図１０では、節電ＬＥＤ５１３が電力停止状態を示すグレーになっているが、多重ログイン環境下ではＮＦＣ ＬＥＤ７１１は人感センサ部６００によって人が検知されたかどうかで点灯／消灯が切り替わるため、半分だけグレーになっている。一方、多重ログインが無効に設定されていれば、ステップ５１７に移行する。このステップ５１７への移行は、ユーザ認証を経てログインが認められた１人のユーザが画像形成装置１００を単独で利用していることを意味する。
【００４９】
ステップ５１７において、マイコン５１４は、ＮＦＣ ＬＥＤ７１１を、人感センサ部６００で人が検知されているかどうかに関わらず消灯する。これにより、まずログインユーザは、ログインが完了しユーザ認証のためのＮＦＣ対応デバイス（認証用カード）をＮＦＣ部７００へかざす必要が無いことを認識することができる。また、ログインユーザ以外のユーザは、ログイン中のユーザが他に存在することを認識することができる。
【００５０】
ステップ５１８において、マイコン５１４は、ユーザ（単独）がログオフしたかどうかを監視し、ユーザのログオフが確認されれば、ログイン待機モード（ＳＴ３）下のステップ５１１に移行する。
【００５１】
多重ログイン環境下におけるステップ５２２において、マイコン５１４は、ログイン中のユーザが存在するかどうかを監視する。ログイン中のユーザがいる場合は、ステップ５１９に戻って処理を続行する（人感センサ部６００で人が検知されているかどうかに応じてＮＦＣ ＬＥＤ７１１の点灯／消灯が切り替えられる）。ログイン中のユーザがいない場合（すべてのユーザのログオフが確認された場合）は、ログイン待機モード（ＳＴ３）下のステップ５１１に移行する。すなわち、多重ログインが有効に設定されている状態においては複数のユーザが同時にログイン可能であり、１人でもログイン中のユーザがいる場合には、節電モード（ＳＴ１）に移行することなく通常電力モード下でのログイン待機状態が維持されることになる。この場合において、待機電力を節約するため、例えばログインしているユーザ毎に所定時間の経過の有無をチェックし、所定時間が経過した時点で当該ユーザについては強制ログオフするという手法が考えられる。所定時間は任意であり、予めユーザ等が設定しＲＡＭ等に保持しておけばよい。このような手法等も含め、全てのユーザについてログオフが確認されると、ログイン中のユーザが存在しないと判定されて、ステップ５１１に移行する。
【００５２】
図１１は、本実施例に係る、操作部５００の一例を示す図である。図１１（ａ）は、多重ログインが無効に設定されている場合であって、ログイン中のユーザが存在するときの操作部５００を示している。一方、図１１（ｂ）は、多重ログインが有効に設定されている場合であって、ログイン中のユーザが存在し、かつ装置前に人が存在するときの操作部５００を示している。まず、共通の要素から説明する。いずれの操作部５００でも、ユーザがＮＦＣ対応デバイスをＮＦＣ部７００へタッチ操作し易いように、ＮＦＣ部７００は操作部５００の手前側に配置されている。主電源ＬＥＤ５１１は、画像形成装置１００の主電源がオンの状態であれば常に点灯するよう制御される。節電ＬＥＤ５１３は、節電ボタン５１２（例えば乳白濁色のカバーで構成）の下に配置されており、点灯すると節電ボタン５１２全体が点灯しているように見える。通知ＬＥＤ５２７は、ジョブ実行中やエラー発生時に点灯する。ＮＦＣ ＬＥＤ７１１は、ＮＦＣ部７００のアンテナパターンの中心位置に配置され、例えば十字型の乳白濁色カバーの形状によりタッチ操作する場所の中心位置を目印として示す。なお、ＮＦＣ ＬＥＤ７１１の形状は、ＮＦＣ対応デバイスをかざす場所をユーザに認識させ得るような形状であればよく、十字型の形状の他、例えばアンテナ外周を示す枠の形状であってもよい。
【００５３】
そして、図１１（ａ）に示すとおり、多重ログインが無効に設定され、かつログイン中のユーザがいる場合の操作部５００では、主電源ＬＥＤ５１１のみが点灯し、ＮＦＣ ＬＥＤ７１１は消灯となる。これに対し、図１１（ｂ）に示す、多重ログインが有効に設定され、人感センサ部６００で人を検知している場合の操作部５００では、ＮＥＣ ＬＥＤ７１１は点灯（点滅）となる。
【００５４】
図１２は、本実施例に係る、多重ログインが無効に設定されている際の画像形成装置１０の各動作モードにおける、操作部５００上のＬＥＤを用いた誘導表示の一例を示す図である。
【００５５】
図１２（ａ）は、節電モード（ＳＴ１）における表示状態を示している。人感センサ部６００の外側検知エリアＡ１及び内側検知エリアＡ２のいずれにも人が居ないという状況下であり、主電源ＬＥＤ５１１のみが点灯している。
【００５６】
図１２（ｂ）は、ＮＦＣ部動作可能モード（ＳＴ２）における表示状態を示している。人が人感センサ部６００の外側検知エリアＡ１に侵入した状況下であり、節電ＬＥＤ５１３とＮＦＣ ＬＥＤ７１１が点灯（点滅）している。これにより、ユーザの視線を節電ボタン５１２やＮＦＣ部７００へと向けさせる誘導効果が生まれる。
【００５７】
図１２（ｃ）は、ログイン待機モード（ＳＴ３）における表示状態を示している。人が人感センサ部６００の内側検知エリアＡ２にまで侵入した状況下であり、この場合は節電モード（ＳＴ１）から自動復帰することになる。そのため、節電ＬＥＤ５１３を消灯させて、節電ボタン５１２の押下が不要であることをユーザに知らせている。図１２（ｃ）の例では、ＬＣＤタッチパネル５２４の画面にはログイン待ち状態であることを知らせるメッセージ画面が併せて表示されている。
【００５８】
図１２（ｄ）は、通常電力モード（ＳＴ４）における表示状態を示している。そして、これはＮＦＣ部動作可能モード（ＳＴ２）又はログイン待機モード（ＳＴ３）において、ユーザがＮＦＣ部７００にＮＦＣ対応デバイスをかざした以後の状況である。画像形成装置１００の各機能を直ちに利用可能な状態であるため、認証用カード等のタッチ操作を誘導するためのＮＦＣ ＬＥＤ７１１は消灯し、ＬＣＤタッチパネル５２４には利用する機能をユーザが選択するためのメニュー画面が表示されている。
【００５９】
図１３は、本実施例に係る、多重ログインが有効に設定されている際の画像形成装置１０の各動作モードにおける、操作部５００上のＬＥＤを用いた誘導表示の一例を示す図である。動作モードが、節電モード（ＳＴ１）の場合、ＮＦＣ部動作可能モード（ＳＴ２）の場合、及びログイン待機モード（ＳＴ３）の場合は、多重ログインが無効の際と同じであるので省略し、誘導表示の内容が異なる通常電力モード（ＳＴ４）の場合のみ示している。
【００６０】
図１３（ａ）は、通常電力モード（ＳＴ４）において、人が検知されている場合の表示状態を示している。通常電力モード（ＳＴ４）の下で、人感センサ部６００の内側検知エリアＡ２で人が検知されていると、ＮＦＣ ＬＥＤ７１１は点灯（点滅）し、ＬＣＤタッチパネル５２４には上述のメニュー画面が表示される。
【００６１】
図１３（ｂ）は、通常電力モード（ＳＴ４）において、人が検知エリアから居なくなった場合の表示状態を示している。例えば、図１３（ａ）に示す状況下で、ログインユーザがコピーなどの機能を実行させて、コピー完了までの間その場から離れるといったケースがこの図１３（ｂ）の状況に当て嵌まる。このようなケースでは、人感センサ部６００の検知エリアから人が居なくなると、ＮＦＣ ＬＥＤ７１１は消灯する。この間、ＬＣＤタッチパネル５２４の画面にはコピージョブの進行状況を知らせる画面１３０１が併せて表示され、さらにジョブ実行中で有ることを示す通知ＬＥＤ５２７が点灯する。
【００６２】
図１３（ｃ）は、通常電力モード（ＳＴ４）において、ジョブ実行中に再び人が検知された場合の表示状態を示している。上述の例において、コピーの実行を指示したログインユーザ或いは他のユーザが人感センサ部６００の検知エリアに侵入すると、ＮＦＣ ＬＥＤ７１１が点灯（点滅）を再開する。これによりログインしようとするユーザは、ログイン認証のためのＮＦＣ対応デバイスのタッチ操作すべき位置と、ＮＦＣ通信が（すなわち多重ログインが）が可能な状況であることを知ることができる。また、通知ＬＥＤ５２７の点灯により、コピー等の何等かのジョブが実行中であることも理解することができる。
【００６３】
以上のような誘導表示を基本としつつ、例えばユーザがログインした際、ログインした事実をＮＦＣ ＬＥＤ７１１でも認識できるよう、一定期間ＮＦＣ ＬＥＤ７１１を消灯させてもよい。また、ログインしたユーザがジョブを投入するまでの期間、ＮＦＣ ＬＥＤ７１１を消灯してもよい。
【００６４】
図１４は、本実施例に係る、ＮＦＣ ＬＥＤ７１１と節電ＬＥＤ５１３についての条件毎の点灯／非点灯をまとめた表である。
【００６５】
ＮＦＣ ＬＥＤ７１１は、画像形成装置１００が節電モード（ＳＴ１）の状況下、人感センサ部６００で人が検知されていない場合は、消灯している。そして、人感センサ部６００で人を検知すると、ＮＦＣ部動作可能モード（ＳＴ２）へ移行し、ＮＦＣ ＬＥＤ７１１は点灯を開始する。この際、節電ＬＥＤ５１３も点灯する。ログイン待機モード（ＳＴ３）では、ＮＦＣ部７００にＮＦＣ対応デバイスがかざされるまで、ＮＦＣ ＬＥＤ７１１は点灯を続ける。ただし、節電モードから復帰した状態で人が人感センサ部６００の検知エリアから居なくなると、ＮＥＣ ＬＥＤ７１１は消灯する。
【００６６】
多重ログイン設定が無効になっている場合、ユーザがログインして通常電力モード（ＳＴ４）に移行すると、人感センサ部６００で人が検知されてもされなくても、ＮＥＣ ＬＥＤ７１１は消灯する。そして、ユーザがログアウトすると通常電力モード（ＳＴ４）からログイン待機モード（ＳＴ３）へ移行する。
【００６７】
多重ログイン設定が有効になっている場合、通常電力モード（ＳＴ４）では、ＮＦＣ ＬＥＤ７１１は、人感センサ部６００における人の検知状態に応じて切り替わる（すなわち、人が検知されれば点灯し、人が検知されなければ消灯になる）。
【００６８】
このように、本実施例の場合、多重ログインが無効なときと有効なときとでは、ＮＦＣ ＬＥＤ７１１の点灯制御が異なる。このため、ユーザは、多重ログインが有効になっているかどうかをＮＦＣ ＬＥＤ７１１によって知ることができる。そして、その際には、人感センサによって人が検知された場合のみ誘導表示がなされる。すなわち、装置前に人が不在のときは、たとえ認証動作可能な状態であっても誘導表示は行わないので、認証操作の不要な誘導を抑制することが可能である。
【００６９】
なお、本実施例では、ユーザがログインするための手法として、ＮＦＣ対応デバイスを用いたユーザ認証について説明したが、これに限定されるものではない。例えば、ＮＦＣ非対応の認証用カードを用いたカード認証や、個人の生体情報（例えば、手のひらの静脈や目の虹彩など）を利用した生体認証といった技術による、所定のユーザ動作を行なうべき位置（認証用カードや人体の一部をかざすための専用の読取機の位置）をユーザに知らせる際にも等しく当て嵌まるものである。
【００７０】
上述したように、本実施例によれば、ＮＦＣリーダ・ライタ部の誘導表示によって、ユーザがＮＦＣ対応デバイスをタッチ操作する位置と通信可能な状態をユーザへ通知することができる。特に複数ユーザによる多重ログインが可能な場合においても、ユーザに対し分かりやすい誘導表示を行うことができる。
【００７１】
（実施例２）
次に、画像形成装置がＮＦＣ非対応の認証用カードのためのカードリーダを別途備え、さらに、ユーザがログイン後にＮＦＣ対応デバイスと連携してデータを送受信する動作モードが追加された態様について、実施例２として説明する。なお、実施例１と共通する部分については説明を省略ないしは簡略化し、以下では差異点を中心に説明するものとする。
【００７２】
図１５は、本実施例に係る、画像形成装置１００の簡略機能ブロック図である。画像形成装置１００は、メインコントローラ部２００、スキャナ部３００、プリンタ部４００、操作部５００、人感センサ部６００、ＮＦＣ部７００、電源部８００及びカードリーダ部９００で構成される。そして、図１６は、図１５で示した各構成要素（機能部）の詳細を示すブロック図である。実施例１との相違点は、ＮＦＣには対応していない（ＮＦＣ以外の方式による無線通信に対応）認証用カードの読み取りのための専用のカードリーダ部９００が追加され、それに伴う接続関係も追加されている点である。具体的には、メインコントローラ部２００内部にカードコントローラ２１５が設けられ、これがカードリーダ部９００内のカードリーダ９１２と接続される。カードリーダ部９００は、カードリーダ９１２とカードリーダＬＥＤ９１１で構成される。カードリーダＬＥＤ９１１は、操作部５００のマイコン５１４によって点灯（点滅）／消灯が制御される。
【００７３】
図１７は、本実施例に係る、画像形成装置１００の動作モードの遷移図である。本実施例における動作モードとしては、節電モード（ＳＴ１’）、カードリーダ部動作可能モード（ＳＴ２’）、ログイン待機モード（ＳＴ３’）、通常電力モード（ＳＴ４’）及びＮＦＣ部連携有効モード（ＳＴ５’）が存在する。ここで、ＮＦＣ部連携有効モード（ＳＴ５’）は、ログイン完了後に、スマートフォンなどのＮＦＣ対応デバイスと画像形成装置１００との間でペアリングを行なって、例えばBluetooth（登録商標）やWi-Fiといった通信規格でのデータ通信を行うことができる動作モードである。
【００７４】
図１８〜図２２は、本実施例における各動作モード時の、画像形成装置１００を構成する各部への電力供給状態を示す図である。以下、順に説明する。
【００７５】
節電モード（ＳＴ１’）においては、図１８に示すとおり、ＮＦＣ部７００は動作不能状態であるものの（ＮＦＣ ＬＥＤ７１１は消灯）、カードリーダ９１２とカードコントローラ２１５は通電された状態でありカード認識動作が可能な状態である。これは、一例として、人感センサ部６００の検知エリア外となるような死角からユーザが手を伸ばして認証用カードをかざし、ログインを試みるような場合を想定したものである。ただし、消費電力を抑えるために例えば間隔を２秒おき程度にカード認識動作を行う。マイコン５１４は人感センサ部６００から検知信号を定期的に受信し、外側検知エリアＡ１或いは内側検知エリアＡ２に人が侵入したことを検知すると、節電ＬＥＤ５１３及びカードリーダＬＥＤ９１１を点灯（点滅）させて、カードリーダ部動作可能モード（ＳＴ２’）へ移行する。
【００７６】
カードリーダ部動作可能モード（ＳＴ２’）においては、図１９に示すとおり、マイコン５１４は、節電ＬＥＤ５１３及びカードリーダＬＥＤ９１１を点灯（点滅）させる。さらに、マイコン５１４は、カードコントローラ２１５に対し認証用カードの認識間隔を短く（例えば１００ｍｓｅｃ）するように指示する。指示を受けてカードコントローラ２１５は、所定の短い間隔でカード認識動作を行い、カード認識の反応速度を高める。そして、センサ検知エリアＡ１から人が居なくなると、マイコン５１４は節電ＬＥＤ５１３とカードリーダＬＥＤ９１１の点灯（点滅）を停止させる。一方、内側検知エリアＡ２にまでさらに人が侵入した状態を所定時間の間で検知すると、マイコン５１４は割り込み信号Ｃを電源制御部２１１へ出力する。これを受けて電源制御部２１１は、メインコントローラ部２００の電源系統２、操作部５００の電源系統２、スキャナ制御部３２１、プリンタ制御部４２１に対し電力供給を行う。そして、電力供給を受けて起動したＣＰＵ２２１は、ＲＡＭ２１４内に格納されていた状態を復元し、ログイン待機モード（ＳＴ３’）へと移行する。
【００７７】
ログイン待機モード（ＳＴ３’）においては、図２０に示すとおり、節電ＬＥＤ５１３は常に消灯となる。しかし、カードリーダＬＥＤ９１１は、人感センサ部６００で人が検知されていれば点灯（点滅）し、人が検知されていなければ消灯となる。これにより、節電ボタン５１２の押下操作が不要であること、及びカードリーダ部９００が動作可能であることをユーザへ通知することができる。
【００７８】
カードリーダ部動作可能モード（ＳＴ２’）及びログイン待機モード（ＳＴ３’）のどちらかの状態で、カードリーダ９１２にログイン用の認証用カードがかざされると、カードコントローラ２１５は、電源制御部２１１に対し割り込み信号Ｅを出力する。割り込み信号Ｅを受けて電源制御部２１１は、電源系統２への電力供給が停止されている場合には供給を開始して、ＣＰＵ２２１へ認証要求の信号を送る。認証要求信号を受けてＣＰＵ２２１は、ユーザ認証処理を行う。ユーザ認証が完了すると、通常電力モード（ＳＴ４’）へ移行する。
【００７９】
通常電力モード（ＳＴ４’）においては、多重ログインの設定が有効なのか無効なのかによって、カードリーダＬＥＤ９１１の点灯制御は異なる（図２１を参照）。まず、多重ログイン設定無効時は、人感センサ部６００で人が検知されるかどうかに関わらずカードリーダＬＥＤ９１１は常に消灯となる。これによりユーザは、認証用カードをカードリーダ部９００へかざす必要が無くなったことや他のユーザがログインしていることを認識できる。ユーザがログオフすると、画像形成装置１００はログイン待機モード（ＳＴ３）へ移行する。そして、多重ログイン設定有効時は、カードリーダＬＥＤ９１１は、人感センサ部６００における人の検知状態によって点灯（点滅）したり、消灯したりする。このような通常電力モード（ＳＴ４’）の状況下で、操作部５００のＬＣＤタッチパネル５２４に表示されたＮＦＣ対応デバイス連携ボタン５３０（図２３（ｄ）参照）が押下されるとＮＦＣ部連携有効モード（ＳＴ５’）に遷移する。
【００８０】
ＮＦＣ部連携有効モード（ＳＴ５’）においては、図２２に示すとおり、ＮＦＣコントローラ７１３が通電されて動作可能になり、ＮＦＣ ＬＥＤ７１１が点灯（点滅）となる。これによりユーザに対し、スマートフォン等のＮＦＣ対応デバイスをペアリングのためにタッチ操作する位置を知らせる。また、ＮＦＣ部連携有効モード（ＳＴ５’）では、人感センサ部６００における人の検知の有無に関わらずＮＦＣ ＬＥＤ７１１は常に点灯（点滅）となる。
【００８１】
図２３は、本実施例に係る、多重ログインが無効に設定されている際の画像形成装置１００の上述した各動作モードにおける、操作部５００上のＬＥＤを用いた誘導表示の一例を示す図である。
【００８２】
図２３（ａ）は、節電モード（ＳＴ１’）における表示状態を示し、主電源ＬＥＤ５１１だけが点灯している。この状況下で、人感センサ部６００の外側検知エリアＡ１或いは内側検知エリアＡ２に人が侵入すると、カードリーダ部動作可能モード（ＳＴ２’）に移行する。
【００８３】
図２３（ｂ）は、カードリーダ部動作可能モード（ＳＴ２’）における表示状態を示し、節電ＬＥＤ５１３とカードリーダＬＥＤ９１１が点灯（点滅）している。これによりカードリーダ部９００の位置及びカードリーダ部９００が通信可能であることがユーザに知らされる。この状況下で、内側検知エリアＡ２に人が近づきその状態が予め決められた時間以上経過すると、ログイン待機モード（ＳＴ３’）へ移行する。
【００８４】
図２３（ｃ）は、ログイン待機モード（ＳＴ３’）における表示状態を示している。このログイン待機モードは、通常電力状態に近いモードであり、節電ＳＷ５１２を押下する必要が無いので節電ＬＥＤ５１３は消灯となる。
【００８５】
図２３（ｄ）は、通常電力モード（ＳＴ４’）における表示状態を示している。カードリーダ部動作可能モード（ＳＴ２’）或いはログイン待機モード（ＳＴ３’）の下でカードリーダ部９００に認証用カードがタッチ操作されると、ユーザ認証処理が実行されてこの通常電力モード（ＳＴ４’）へ移行する。図２３（ｄ）では、実施例１の図１２（ｄ）における「Ｈｅｌｐボタン」部分が、「ＮＦＣ対応デバイス連携ボタン５３０」に変更されている。ＮＦＣ対応デバイス連携ボタン５３０は、画像形成装置１００をＮＦＣ対応デバイスとの間でペアリングを行なって、データ通信が可能な動作状態に移行させるためのボタンである。多重ログイン無効時の通常電力モード（ＳＴ４’）の下では、カードリーダＬＥＤ９１１は消灯となる。これにより認証用カードをかざす操作が不要になったことをユーザは把握できる。この状況下でＮＦＣ対応デバイス連携ボタン５３０が押下されると、ＮＦＣ部連携有効モード（ＳＴ５’）へ移行する。
【００８６】
図２３（ｅ）は、ＮＦＣ部連携有効モード（ＳＴ５’）における表示状態を示している。通常電力モード下で上述のＮＦＣ対応デバイス連携ボタン５３０が押下されるとＮＦＣ部連携有効モード（ＳＴ５’）に遷移する。ＮＦＣ部連携有効モード（ＳＴ５’）の下では、ＮＦＣ ＬＥＤ７１１は点灯（点滅）となる。これにより、スマートフォン等のＮＦＣ対応デバイスをかざす位置とＮＦＣ通信が可能なことがユーザに知らされる。なお、この間、カードリーダＬＥＤ９１１は、人感センサ部６００における人の検知状態によらず消灯する。
【００８７】
図２４は、本実施例に係る、多重ログインが有効に設定されている際の画像形成装置１００の上述した各動作モードにおける、操作部５００上のＬＥＤを用いた誘導表示の一例を示す図である。節電モード（ＳＴ１’）、カードリーダ部動作可能モード（ＳＴ２’）、ログイン待機モード（ＳＴ３’）及びＮＦＣ部連携有効モード（ＳＴ５’）については、多重ログイン無効設定時と同じである。したがって、図２４には、通常電力モード（ＳＴ４’）における表示状態のみを示している。
【００８８】
多重ログインが有効に設定されている場合の通常電力モード（ＳＴ４’）においては、上述のとおり、人感センサ部６００における人の検知状態によってカードリーダＬＥＤ９１１は点灯（点滅）したり、消灯したりする。すなわち、ユーザがカードリーダ部９００に認証用カードをかざして通常電力モード（ＳＴ４’）に移行し、人感センサ部６００によって人が検知されている場合は、カードリーダＬＥＤ９１１は点灯（点滅）を続け、ＬＣＤタッチパネル５２４には通常動作時のメニュー画面が表示される（図２４（ａ）参照）。その後、ログインユーザがコピーなどの機能を実行させていても、人感センサ部６００の検知エリアから人が居なくなると、カードリーダＬＥＤ９１１は消灯する（図２４（ｂ）参照）。その後、ユーザ（ログインユーザでも他のユーザでもよい）が人感センサ部６００によって検知されると、カードリーダＬＥＤ９１１は再び点灯（点滅）することになる。
【００８９】
図２５は、本実施例に係る、カードリーダＬＥＤ９１１、ＮＦＣ ＬＥＤ７１１及び節電ＬＥＤ５１３についての条件毎の点灯／非点灯をまとめた表である。
【００９０】
カードリーダＬＥＤ９１１は、画像形成装置１００が節電モード（ＳＴ１’）の状況下、人感センサ部６００で人が検知されていない場合は、消灯している。そして、人感センサ部６００の検知エリアＡ１で人を検知すると、カードリーダ部動作可能モード（ＳＴ２’）へ移行し、カードリーダＬＥＤ９１１は点灯（点滅）を開始する。ログイン待機モード（ＳＴ３’）では、カードリーダ部９００に認証用カードがかざされるまで、カードリーダＬＥＤ９１１は点灯（点滅）を続ける。ただし、画像形成装置１００が節電モード（ＳＴ１’）から復帰した状態で、人感センサ部６００の検知エリアから人が居なくなると、カードリーダＬＥＤ９１１は消灯する。
【００９１】
そして、多重ログイン設定が無効になっている場合において、ユーザがログインし通常電力モード（ＳＴ４’）に移行すると、人感センサ部６００における人の検知状態に関わらず、カードリーダＬＥＤ９１１は消灯する。その後、ユーザがログアウトすると、ログイン待機モード（ＳＴ３’）へ移行する。
【００９２】
一方、多重ログイン設定が有効になっている場合において、ユーザがログインし通常電力モード（ＳＴ４’）に移行すると、人感センサ部６００での人の検知状態によってカードリーダＬＥＤ９１１の点灯状態は変化する（すなわち、人が居れば点灯、人が居なければ消灯となる）。
【００９３】
ＮＦＣ部連携有効モード（ＳＴ５’）では、人感センサ部での人の検知状態に関わらずカードリーダＬＥＤ９１１は消灯する。この間、ＮＦＣ ＬＥＤ７１１は、人感センサ部６００での人の検知状態に関わらず点灯する。
【００９４】
そして、節電ＬＥＤ５１３は、ＮＦＣ部動作可能モード（ＳＴ２’）の間、点灯する。
【００９５】
上述したように、本実施例によれば、カードリーダ部やＮＦＣリーダ・ライタ部における誘導表示が状況に応じて変化する。これにより、ユーザは、カードリーダの位置やＮＦＣ対応デバイスをタッチ操作する位置に加え、それらが通信可能な状態かどうかを知ることができる。そのため、タッチ操作を要するカードやデバイスのためのタッチ箇所が複数存在する画像形成装置においても、ユーザは迷うことなく適切な位置に必要なタッチ操作を行うことができる。
【００９６】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
0006614908.tif 000002
【図２】
0006614908.tif 000003
【図３】
0006614908.tif 000004
【図４】
0006614908.tif 000005
【図５】
0006614908.tif 000006
【図６】
0006614908.tif 000007
【図７】
0006614908.tif 000008
【図８】
0006614908.tif 000009
【図９】
0006614908.tif 000010
【図１０】
0006614908.tif 000011
【図１１】
0006614908.tif 000012
【図１２】
0006614908.tif 000013
【図１３】
0006614908.tif 000014
【図１４】
0006614908.tif 000015
【図１５】
0006614908.tif 000016
【図１６】
0006614908.tif 000017
【図１７】
0006614908.tif 000018
【図１８】
0006614908.tif 000019
【図１９】
0006614908.tif 000020
【図２０】
0006614908.tif 000021
【図２１】
0006614908.tif 000022
【図２２】
0006614908.tif 000023
【図２３】
0006614908.tif 000024
【図２４】
0006614908.tif 000025
【図２５】
0006614908.tif 000026